(57)【要約】      （修正有）【課題】凹部にカメラ又はカメラヘッドを装着可能な筐体構造を提供する。【解決手段】筐体は、取付部１２と、ケーブル密閉部１３を通って延びるケーブル５の外面を密閉するケーブル密閉部１３と、取付部１２からケーブル密閉部１３に向かって延びる第１の方向と外周方向に従う閉路に沿って延びる外周壁部１５とを備え、外周壁部１５の少なくとも一部は、ケーブル密閉部１３が取付部１２に対して移動できるように、柔軟性材料及び／又は弾性材料から構成されている。【選択図】図３ａ
2016122189.tif 000002
【特許請求の範囲】
【請求項１】
表面（１０）の凹部（７）にカメラ又はカメラヘッド（６）を凹部装着するための筐体（１）であって、
使用時に前記凹部（７）に対して固定される取付部（１２）と、
前記カメラ又はカメラヘッド（６）に取り付けられた又は取り付けられるように適合されたケーブル（５）を開口部（１４）に通して筐体（１）の外まで延ばすことができるようにした、開口部（１４）を有するケーブル密閉部（１３）であって、ケーブル密閉部（１３）を通って延びるケーブル（５）の外面を密閉するケーブル密閉部（１３）と、
前記取付部（１２）から前記ケーブル密閉部（１３）への第１の方向（Ｌ）と外周方向（Ｃ）による閉路に沿って延びる外周壁部（１５）であって、前記筐体（１）の使用時に、第１の方向（Ｌ）が、前記凹部（７）の中へ延びる方向になる外周壁部（１５）とを備え、
前記筐体（１）は使用時に、前記凹部（７）に位置づけされるカメラ又はカメラヘッドが内部に位置決めされる空洞を提供し、
前記ケーブル密閉部（１３）が前記取付部（１２）に対して移動可能になるように、前記外周壁部（１５）の少なくとも一部が柔軟性材料及び／又は弾性材料でできている、筐体（１）。
【請求項２】
前記ケーブル密閉部（１３）は、柔軟性及び／又は弾性の材料でできている、請求項１に記載の筐体（１）。
【請求項３】
前記ケーブル密閉部（１３）は、開放状態のときに、内径（Ｃｉ）が、前記筐体（１）外へ延ばして使用される前記ケーブル（５）の外径（Ｃｏ）よりも小さくなる、請求項１又は２に記載の筐体（１）。
【請求項４】
前記ケーブル密閉部（１３）は、２０〜６０°ショアＡの硬度を有するエラストマー系材料でできている、請求項１から３のいずれか一項に記載の筐体（１）。
【請求項５】
前記ケーブル密閉部（１３）が前記取付部（１２）に対して前記第１の方向（Ｌ）に移動可能であって、前記凹部（７）の口状部によって画定される平面（Ｐ２）と平行な平面（Ｐ１）に沿って移動可能である、請求項１から４のいずれか一項に記載の筐体（１）。
【請求項６】
柔軟性材料及び弾性材料でできている前記外周壁部の少なくとも一部が、ベローズ部（１５）を備え、前記ベローズ部（１５）は、前記取付部（１２）から前記ケーブル密閉部（１３）への第１の方向（Ｌ）に沿ってテーパーが付いたベローズとして構成された、請求項１から５のいずれか一項に記載の筐体（１）。
【請求項７】
前記ベローズ部（１５）は、前記第１の方向（Ｌ）に延びる第１の主要部（１５ａ〜ｄ）と、前記第１の方向（Ｌ）の反対の第２の方向に延びる第２の主要部（１５ａ´〜ｄ´）とを各々備える複数の環状凹凸部を備え、前記環状凹凸部は重なり合いがなくて、前記ベローズ部（１５）が前記第２の方向に折り込み可能である、請求項６に記載の筐体（１）。
【請求項８】
環状カバー密閉部（１１）を更に備え、前記環状カバー密閉部（１１）によりカバー（３）の環状密閉部（４ａ）による密閉部が形成され、前記筐体（１）とカバー（３）により、前記カメラ又はカメラヘッド（６）を収納する密閉コンパートメントの閉空間が形成される、請求項１から７のいずれか一項に記載の筐体（１）。
【請求項９】
表面（１０）の凹部（７）にカメラ又はカメラヘッド（６）を凹部装着するための構成であって、
カバー（３）と、
請求項１から８のいずれか一項に記載の筐体（１）と
を備える構成。
【請求項１０】
前記カバー（３）は、窓（４）と環状密閉部（４ａ）とを備え、前記カバー（３）の環状密閉部（４ａ）と前記筐体（１）の環状密閉部（１１）とにより密閉部が形成され、前記カバー（３）及び前記筐体（１）とにより、前記カメラ又はカメラヘッド（６）を収納する密閉コンパートメントの閉空間が形成される、請求項９に記載の構成。
【請求項１１】
前記カメラ又はカメラヘッド（６）を支持するカメラ支持部（８）を更に備える、請求項９又は１０に記載の構成。
【請求項１２】
前記カメラ支持部（８）の支持するカメラ又はカメラヘッド（６）が、パン運動、傾化運動、及び／又は回転運動をするかたちで、前記カメラ支持部（８）は移動可能である、請求項１１に記載の構成。
【請求項１３】
前記カメラ支持部の支持するカメラとして、光学機器、画像センサ、及び画像プロセッサを含むカメラを更に備える、請求項９から１２のいずれか一項に記載の構成。
【請求項１４】
光学機器及び画像センサを含むカメラヘッド（６）を備えるカメラと、前記カメラヘッド（６）から画像プロセッサを含む主要ユニット（６ｂ）まで延びるケーブル（５）とを更に備え、前記カメラヘッド（６）は密閉されたコンパートメントに受け入れられ、前記ケーブル（５）はケーブル密閉部（１３）を通って延びており、前記主要ユニット（６ｂ）は前記密閉されたコンパートメントの外に配置されている、請求項９から１２のいずれか一項に記載の構成。
【請求項１５】
前記窓（４）が、波長域内で前記カメラの画像センサによって検出可能な電磁放射線が外から前記カメラの中へ入ることを可能にする材料でできていることにより、前記波長域内の前記電磁放射線に基づいて、前記カメラが現場の描写を提供することができる、請求項９から１４のいずれか一項に記載の構成。
【発明の詳細な説明】
【技術分野】
【０００１】
本発明は、表面の凹部にカメラ又はカメラヘッドを凹部装着させるための筐体に関する。本発明はまた、表面の凹部にカメラ又はカメラヘッドを凹部装着させるための構成にも関する。
【背景技術】
【０００２】
カメラを凹部装着させるための構成は既知のものである。典型的な事例としては、事務所空間等の内部に監視カメラを装着するような際に、スポットライトやその他の設備機器のための凹部がつり天井に配設される場合が該当する。この種の構成ではしばしば、つり天井の目に見える側にカバー又はドーム状の窓が設けられるが、構成の重要な部分は、つり天井のタイルの裏側に設けられている。例えば埃や水分からの保護等に関して特定のＩＰ保護等級をカメラの装着に持たせようとすれば、多くの場合、カメラを何らかの種類の筐体（ｅｎｃｌｏｓｕｒｅ）に密閉する必要がある。現在、監視カメラ装着のＩＰ規格は、剛性カップでカメラを装着することである。ケーブルと筐体との間の密閉は通常、ケーブルグランド等を使用して行われる。少なくともカメラを設置する際には、カメラを例えば、特定のパニング、傾き又は回転角度の向きを変えることなどによって所望の方向へ配向できることが多くの場合、望まれる。ケーブルは、カメラとケーブルとの間の接続部の設計に基づいて、カメラから特定方向に延びる。カメラから延びるケーブルは、ユーザにとっては比較的硬いものと感じられる。光学機器と画像センサを含むカメラヘッドと、画像プロセッサを含む主要ユニットとに分けてカメラを構成し、ケーブルをカメラヘッドから主要ユニットまで延ばして使用するような場合には、特にそうである。また、特定のＩＰ保護等級のカメラが必要となる場合であって、ケーブルにＩＰ保護等級に付属する要件までも満たすことが求められるような場合は特にそうである。上記ケーブルは多くの場合、設置者には堅いと受け取られる。
【０００３】
カメラ設置を可能にし、カメラを所望の方向へ向けることがユーザ側でできるようにするには、通常、筐体内部に余剰のケーブルを用意する必要がある。すなわち、ケーブルの余剰を利用することで、カメラやカメラヘッドを傾かせ、パニングし、又は回転させることができ、硬いケーブルのせいでカメラやカメラヘッドの取扱いが困難になるような状況を回避することができる。しかし、余分な長さのケーブルを収容するためには、構成が大きくなり、場所を取ることになるため望ましくない。
【発明の概要】
【発明が解決しようとする課題】
【０００４】
本発明の目的は、凹部装着されたカメラ又はカメラヘッドの取り扱い及び配向を簡単にすることができる解決法を提供することであり、この解決法は空間効率がよいものである。
【課題を解決するための手段】
【０００５】
この目的は表面の凹部にカメラ又はカメラヘッドを凹部装着するための以下の筐体によって達成される。すなわち、この筐体は、使用時に凹部に対して固定される取付部と、前記カメラ又はカメラヘッドに取り付けられた又は取り付けられるように適合されたケーブルを開口部に通して密閉部の外まで延ばすことができる開口部を有するケーブル密閉部であって、ケーブル密閉部を通って延びるケーブルの外面を密閉するケーブル密閉部と、ケーブル密閉部に向かって取付部から延びる第１の方向と外周方向に従う閉路に沿って延びる外周壁部とを備え、筐体の使用時には、第１の方向が、凹部の中へ延びる方向となり、使用時には、筐体は、カメラ又はカメラヘッドが内部に収められる空洞を提供し、取付部に対してケーブル密閉部が移動可能となるように、外周壁部の少なくとも一部が柔軟性材料及び／又は弾性材料でできている。
【０００６】
筐体には取付部が設けられ、筐体の使用時、すなわち構成に装着された場合に、凹部に対して取り付け部は固定されることになる。これにより、上述した筐体は正確な場所に保持される。取付部としては、凹部周囲に延びる連続的な環状、円形又は非円形部分であってよく、これにより表面の両側の環境を互いに分離する密閉部を直接又は間接的に形成することができる。取付部としては、代わりに、筐体の外周周囲に分配された複数のセグメントで構成してもよい。
【０００７】
更に筐体にはケーブル密閉部が設けられる。そして、カメラ又はカメラヘッドから、このケーブル密閉部の開口部を通って、ケーブルが筐体の外へ延びることができる。ケーブルは、カメラ又はカメラヘッドに固定して取り付けてもよいし、任意の適当なコネクタを使用して取り外し可能に取り付ける形態であってもよい。ケーブル密閉部は、ケーブルの外側の面を密閉する。
【０００８】
更に筐体には外周壁部が設けられる。ケーブル密閉部に向かって取付部から延びる第１の方向と外周方向に従う閉路に沿って外周壁部は延びる。ここにおいて、筐体の使用時において、第１の方向は、凹部の中へ延びる方向になる。なお、壁は、外周方向に従う閉路に沿って延びることに留意したい。壁自体が閉ループを形成する必要はない。とはいえ、壁が閉ループを形成しているのが好ましい。なお、閉ループが円形である必要はない。とはいえ、閉ループが円形であることが好ましい。
【０００９】
筐体は使用時に、凹部に位置づけされたカメラ又はカメラヘッドが内部に配される空洞を提供する。空洞としては、カップ形状、又は円錐台形の形状であってよい。こうして、筐体は基本的に凹部の中へ延びるカップ又は円錐の形状となる。このため、凹部内部に位置決めされたカメラ又はカメラヘッドの部品を包み込む、好ましくは全体的に包み込むことになる。要するに、筐体は基本的に、カップ底部に位置づけされたケーブル密閉部を有するカップのように見えることになり、外周壁部によりカップの壁が形成され、取付部はカップの縁に対応する。
【００１０】
更に、ケーブル密閉部が取付部に対して移動可能になるように、外周壁部の少なくとも一部は柔軟性材料及び／又は弾性材料で構成される。このように、ケーブル密閉部を取付部に対して移動可能な構成にすることにより、カメラ又はカメラヘッドを傾け又はパニングすることが簡単になる。カメラ又はカメラヘッドが移動すると、ケーブルの本来の位置又は自然な位置のいかなる変化も、筐体の柔軟な部分の柔軟性によって適応される。筐体自体も柔軟であるため、ケーブルの動きに適応するいかなる複合接合部等も用意する必要はない。また、ケーブル密閉部が取付部に対して移動可能であることでケーブルが自由に移動できるため、筐体内のケーブルに余分な長さも必要ない。複合接合部又は余分なケーブルの長さが全く必要ないと、筐体の設計を小型化することが可能になる。筐体の全体サイズは従って基本的に、カメラ又はカメラヘッド、及びその中の任意のカメラ支持部だけを収納するのに必要なサイズとなる。柔軟性材料及び／又は弾性材料でできた外周壁部の前記少なくとも一部は、２０〜６０°ショアＡの硬度を有するエラストマー系材料でできていてよい。
【００１１】
ケーブル密閉部は、柔軟性及び／又は弾性材料でできていてよい。これにより、密閉部の本来の材料特性を利用して、ケーブルをケーブル密閉部に通した時に、ケーブルとケーブル密閉部との間に密閉部分を形成することができる。
【００１２】
開放状態において、ケーブル密閉部の内径は、筐体の外に延びるケーブルの外径よりも小さくなる。従って、形状及び材料特性を利用して、ケーブルとケーブル密閉部との間に密閉部分を形成することができる。
【００１３】
ケーブル密閉部は、２０〜６０°ショアＡの硬度を有するエラストマー系材料でできていてよい。上記材料により、大きくたわみ、元の形状に戻る能力が得られる。材料は本来の強度を有し、これにより、約１〜２ｍｍの厚さの材料で筐体を設計することが可能になり、カメラを設置している又は調節しているユーザによって空洞を簡単に変形させられる。
【００１４】
なお、筐体の形状自体が柔軟である場合、より硬い又は堅い材料を使用することが可能であることに留意したい。上記柔軟な形状としては、例えば柔軟性の高いベローズが使用できる。まっすぐな壁を有する円錐等、形状の柔軟性が低い場合には、比較的やわらかい、又は柔軟性の高い材料を使用する必要があろう。筐体が、支持されていない特定の形状を保持する必要がない場合、相対的にやわらかい材料を使用してよい。材料はエラストマー系である必要はなく、他のいかなる柔軟性又は弾性材料も使用可能であることに留意したい。
【００１５】
ケーブル密閉部は、取付部に対して第１の方向に移動可能であり、前記凹部の口状部によって画定される平面に平行な平面に沿って移動可能であってよい。こうすれば、ケーブル密閉部は、カメラ又はカメラヘッドを設置中に又はその後の調節中に方向付けする時のケーブルの移動に適応でして移動可能となる。
【００１６】
ケーブル密閉部は、取付部に対して第１の方向に移動可能であると同時に、前記凹部の口状部によって画定される平面に平行な平面に沿って移動可能であることが好ましい。柔軟性（及び好ましくは弾性でもある）材料の筐体を使用することによって、上記のような同時の移動が可能になる。
【００１７】
柔軟性及び／又は弾性材料でできている外周壁部の前記少なくとも一部は、取付部からケーブル密閉部に向かって延びる第１の方向に沿ってテーパー状に成形されたベローズ部を備えてよい。こうすれば、筐体の形状により柔軟性が得られる。更に、選択された材料の本来の柔軟性と同程度の高い柔軟性が達成可能である。
【００１８】
ベローズ部は、前記第１の方向に延びる第１の主要部と、前記第１の方向とは反対の第２の方向に延びる第２の主要部とを各々備える複数の環状凹凸部を備えていてよく、凹凸部は重なり合っていない。すなわち、ベローズ部を前記第２の方向に折り込むことができるようになっている。こうすれば、高い柔軟性が達成される。更には、筐体を空間効率良く運ぶことが可能になる。なお、環状は円形である必要はない。これらは例えば、方形、長方形、楕円形、及び長円形またはその他何らかの適切な形状であってよい。環状が円形であった方が、製造が簡単であり、筐体の柔軟性が均一になる点では、好ましい。
【００１９】
筐体は更に、カバーの環状密閉部と共に密閉部を形成する環状カバー密閉部を備えることができ、これにより、筐体と前記カバーが、前記カメラ又はカメラヘッドを収納する、閉じられ密閉されたコンパートメントを形成する。これにより、カメラ又はカメラヘッドがコンパートメント内部に保護される。この保護は、カメラ又はカメラヘッドを埃、エアロゾル、又はその他の種類の汚染物質から保護するのに有用である。コンパートメントは、規格要件を満たす等、カメラ又はカメラヘッド抜きで特定の規格に合う品質のものであってよい。
【００２０】
上記の目的はまた、表面の凹部にカメラ又はカメラヘッドを凹部装着する構成によっても達成され、この構成は、カバーと、上述した任意の変形例による筐体を備える。
【００２１】
筐体は、カメラを保護するのに使用することができればよく、閉じたコンパートメントを形成するカバーとは関係がなくてよい。上記のような筐体は例えば、つり天井の下で比較的クリーンな環境にさらされているカメラを、つり天井の上の埃っぽい環境から保護するために使用できる。この場合、環状カバー密閉部を省略することができる。取付部を凹部に固定しやすくするために、例えばカバーリング等があってもよい。カバーリング等を使用して、凹部の縁をカバーすることができる。これは例えば、凹部が鉱物繊維ベース材料でできたタイルの貫通孔である場合に有用である。
【００２２】
カバーは、窓と環状密閉部とを備えてよく、カバーの環状密閉部と筐体の環状密閉部とによって密閉部分が形成される。これにより、カバーと筐体は、前記カメラ又はカメラヘッドを収納する密閉コンパートメントの閉空間を形成する。上述したように、こうすればカメラ又はカメラヘッドがコンパートメント内部で保護できる。この保護は、カメラ又はカメラヘッドを埃、エアロゾル、又はその他の種類の汚染物質から保護するのに有用である。コンパートメントは、規格要件を満たす等、カメラ又はカメラヘッド抜きで特定の規格に合う品質のものであってよい。
【００２３】
構成は更に、前記カメラ又はカメラヘッドを支持するカメラ支持部を備えてよい。カバーが筐体と共に閉じて密閉されたコンパートメントを形成する場合、カメラ又はカメラヘッドは、密閉されたコンパートメント内部でカメラ支持部によって支持される。
【００２４】
カメラ支持部によって支持されたカメラ又はカメラヘッドがパニング、傾斜運動及び／又は回転運動のかたちで移動可能になるように、カメラ支持部は移動可能であってよい。
【００２５】
構成は更に、前記カメラ支持部によって支持される光学機器、画像センサ及び画像プロセッサを含むカメラを備えてよい。このように、筐体及びカバーを使用してカメラを収納し、これによりカメラ全体を保護することができる。
【００２６】
構成は更に、光学機器及び画像センサを含むカメラヘッドと、カメラヘッドから画像プロセッサを含む主要ユニットまで延びるケーブルとを備えるカメラを備えることができ、カメラヘッドは密閉されたコンパートメントに受け入れられ、ケーブル密閉部を通って延びるケーブルと主要ユニットは、密閉されたコンパートメントの外に位置づけされる。このように、筐体とカバーを使用して、カメラヘッドを収納することができ、これによりカメラヘッドが保護される。こうすれば、凹部の筐体内部の構成要素を最小限に抑えることによって、小型化することが可能である。この実施形態では、カメラ支持部はカメラ全体を支持せず、カメラヘッドを支持する。
【００２７】
なお、画像センサとしては、可視光を使用したセンサ、ＩＲ（赤外線）光を使用したセンサ、マイクロボロメータ、ＰＩＲセンサ（受動赤外線センサ）等であってよい。
【００２８】
窓は、波長域内で前記カメラの画像センサによって検出可能な電磁放射線が外からカメラの中へ入ることが可能になる材料でできていてよく、これにより、カメラが前記波長域内の電磁放射線に基づいて現場のシーンを提供することができる。窓経由でカメラに取り込まれる波長域は、カメラに装備されたセンサの種類によって変わる。なお、窓により、前記波長域外の波長の電磁放射線もカメラに入ることが可能となる。窓は、ポリマー材料又はガラス等の半透明又は透明な材料でできており、可視光が外からカメラの中へ入ることができ、これによりカメラが現場のシーンを提供することができる。
【００２９】
環状密閉部は、窓周囲に延びる不透明な部分で形成することができる。
【００３０】
なお、柔軟性があるとした材料又はエンティティは、壊れることなく変形し、また所望の変形に耐えることができると考えられる。なお、柔軟性及び弾性があるとした材料又はエンティティは、柔軟であるだけでなく、変形を起こしている力から解放された後で元の形に戻りやすいとも考えられる。ショアＡの硬度は、ＡＳＴＭ  Ｄ２２４０に従って測定される。
【００３１】
異なる部分を備える筐体が、柔軟性材料及び弾性材料で一体型にできていることが好ましく、２０〜６０°ショアＡの硬度を有するエラストマー系材料でできていることが好ましい。
【００３２】
本発明を、本発明の現在好ましい実施形態を示す添付の概略図を単なる例として参照しながら、更に詳しく説明する。
【図面の簡単な説明】
【００３３】
【図１】カメラを凹部装着する構成を示した斜視図である。
【図２】カメラを凹部装着する構成の一部となる筐体を示した斜視図である。
【図３ａ】ある位置にカメラがあるときの筐体を概略的に示した図である。
【図３ｂ】別の位置にカメラがなったときの筐体を概略的に示した図である。
【図４】凹部装着されたカメラの断面図である。
【発明を実施するための形態】
【００３４】
図において、筐体１、取付リング２、及びドーム状の窓４を有するカバー３を備える構成が開示されている。ケーブル５は、カメラ又はカメラヘッド６から延びる。構成は、凹部７に装着されるようになっている。凹部７の例として、板状部材１０を貫通する孔を示している。
【００３５】
図２に示すように、筐体１は、取付部１１、１２と、ケーブル密閉部１３と、外周壁部１５と、環状カバー密閉部１１とを備える。筐体１は、約３０°ショアＡの硬度を有するエラストマー系材料で一体型に形成されている。筐体１は、約１．２ｍｍの厚みの材料を有する。
【００３６】
取付部は、環状部１１と、複数の取付セグメント又はタブ１２を備える。取付部１１、１２は、凹部７に固定されるようになっている。開示した実施形態では、取付リング２は、凹部７に固定し、取付部１１、１２が次に取付リング２に固定して使用される。環状部１１は、後述のように、環状密閉部１１としても機能する。
【００３７】
ケーブル密閉部１３は開口部１４を有し、この開口部１４を通ってケーブル５が筐体１の外へ延びることができる。ケーブル密閉部１３は、その内部を通って延びるケーブル５の外面を密閉する。図に示すように、ケーブル密閉部１３にはパイプ状部が設けられ、このパイプ状部を通ってケーブルは延びて開口部１４で終端する。開放された状態では、パイプ状部の内径Ｃｉは、ケーブル５の外径Ｃｏよりも小さくなる。
【００３８】
外周壁部１５は、閉路に沿って延びている。すなわち、取付部１１、１２からケーブル密閉部１３に向かって延びる第１の方向Ｌと外周方向Ｃとに展開されて、外周壁部１５の閉壁が形成される。筐体１を凹部７に装着する際には、この第１の方向Ｌが凹部７の中への方向となる。
【００３９】
外周壁部１５はベローズ部を備えており、ベローズ部は、取付部１１、１２からケーブル密閉部１３への第１の方向Ｌに沿ってテーパーが付いたベローズとして構成されている。ベローズ部は、複数の環状凹凸部を備え、各環状凹凸部は、第１の方向Ｌに延びる第１の主要部１５ａ〜ｄと、第１の方向Ｌと反対の第２の方向に延びる第２の主要部１５ａ´〜ｄ´を備える。図に示すように、環状凹凸部には、重なり合いがない。すなわち、空間効率の良い搬送性と高い柔軟性が得られるよう、第２の方向にベローズ部が折り込まれている。
【００４０】
ケーブル密閉部１３は、取付部１１、１２に対して、第１の方向Ｌに移動可能である。したがって、凹部７の口状部の画定する平面Ｐ２に平行な平面Ｐ１に沿って、移動可能である。図３ｂで示すように、凹部７の画定する平面Ｐ２に平行な平面Ｐ１に対して傾いた状態で、ケーブル密閉部１３を移動させることもできる。
【００４１】
環状カバー密閉部１１は、カバー３、４の環状密閉部４ａと共に密閉部を形成する。これによって、カメラ又はカメラヘッド６を収納した密閉コンパートメントの閉空間が筐体１とカバー３、４とにより形成されることになる。
【００４２】
カバー３は、ドーム状の窓４と、筐体１の環状密閉部１１と共に密閉部を形成するようにした環状密閉部４ａとを備える。
【００４３】
構成は更に、筐体１とカバー３、４によって形成されたコンパートメント内部に位置づけされ、カメラ又はカメラヘッド６を支持するカメラ支持部８を備える。カメラ支持部８の移動性、又は間接性により、カメラ支持部８の支持するカメラ又はカメラヘッド６は、パン運動、傾化運動及び／又は回転運動をするかたちで移動可能になる。この様子を、旋回軸８ａにより概略的に示す。
【００４４】
一実施形態では、光学機器を含むカメラと、画像センサ及び画像プロセッサはカメラ支持部によって支持される。別の実施形態では、光学機器を含むカメラヘッド６、及び画像センサがカメラ支持部８によって支持され、ケーブル５がカメラヘッド６から画像プロセッサを含む主要ユニット６ｂまで延びる。この後者の実施形態では、カメラヘッド６は密閉されたコンパートメントに受け入れられ、ケーブル５はケーブル密閉部１３を通って延び、主要ユニット６ｂは密閉されたコンパートメントの外側に位置づけされる。
【００４５】
画像センサは、可視光を使用したセンサ、ＩＲ（赤外線）光を使用したセンサ、マイクロボロメータ、ＰＩＲセンサ（ｐａｓｓｉｖｅ  ｉｎｆｒａｒｅｄ  ｓｅｎｓｏｒ：受動的赤外線センサ）等であってよい。
【００４６】
窓４は、カメラの画像センサによって検出可能な波長域内の電磁放射線が外からカメラの中へ入ることが可能になる材料でできているため、カメラは前記波長域内の電磁放射線に基づいて現場の描写を提供することができる。窓経由でカメラに取り込可能な波長域は、カメラに装備されたセンサの種類によって変わる。波長域の外の波長の電磁放射線もカメラに入ることを窓によって可能にできることに留意したい。好ましい実施形態では、窓４は、ポリマー材料又はガラス等の半透明又は透明な材料でできており、可視光が外からカメラ又はカメラヘッド６内に入ることができ、これによりカメラが現場の状況を提供することができる。
【００４７】
カバーのリング状部３は不透明な材料でできているため、窓周囲に不透明なリングが形成される。リング状部３によりこの構成の密閉性を高めることができるが、単なる美的目的であってもよい。
【００４８】
添付の特許請求の範囲に記載するように、本発明の範囲内において、本明細書に記載した実施形態に対しては数々の変更例が考えられる。
【００４９】
例えば、カバー密閉部１１の設計と同様に、取付部１２を環状リング（円形又は非円形）で形成することができる。あるいは、取付部１２とカバー密閉部１１を兼ねる単一の環状部（円形又は非円形）であってもよい。取付部１２とカバー密閉部１２との重複は、全部、あるいは部分的のみであってよい。あるいはカバー密閉部１１は、カバーのリング状部３と密閉係合させることができ、個別の密閉部をカバーのリング状部３と、窓と共に提供される部品４との間に提供することができる。
【００５０】
密閉部１３に張力緩和を備えることができる。
【００５１】
図面では、ベローズ形状の筐体が示されている。しかしながら、滑らかな円錐形状であってもよい。
【００５２】
筐体の外周壁を完全に一つの材料で形成することができる、あるいは２つ以上の材料を組み合わせて形成することができる。例えば、第１及び第２の主要部を、より柔らかい材料で相互接続された比較的剛性の環として形成することができる。
【００５３】
図示した実施形態では、筐体はケーブル密閉部を一つのみ有する。しかしながら、筐体を２つ以上のケーブル密閉部で形成して、より多くのケーブルを通せるようにしてもよい。
【００５４】
ＩＲ光等の光源を、カメラ又はカメラヘッドに接続した形で提供し、監視現場を照らすようにしてもよい。
【図１】
2016122189.tif 000003
【図２】
2016122189.tif 000004
【図３ａ】
2016122189.tif 000005
【図３ｂ】
2016122189.tif 000006
【図４】
2016122189.tif 000007
【外国語明細書】
2016122189000001.pdf
2016122189000002.pdf
2016122189000003.pdf
2016122189000004.pdf